(57)【要約】【課題】少なくとも個人を特定する情報が保存された無線タグを読取部のアンテナにかざすタイミングを無線タグのユーザに容易に知らせることができるようにする。【解決手段】本体の一面に、表示部１１１と少なくとも個人を特定する情報が保存された無線タグから情報を読取るアンテナ１０３とを配置する。また、アンテナ１０３で読取った情報を処理する制御部を設ける。そして制御部は、無線タグの情報を読取るタイミングであることを判断すると、アンテナ１０３に無線タグをかざすようにユーザに促す案内を表示部１１１に表示させるとともに、アンテナ１０３から電波発信を開始させる。【選択図】      図３
2005157572.tif 000002
【特許請求の範囲】
【請求項１】
本体の一面に配置された表示部と、本体の一面に配置され、少なくとも個人を特定する情報が保存された無線タグから情報を読取るアンテナと、前記アンテナで読取った情報を処理する情報処理手段と、前記無線タグの情報を読取るタイミングを判断する判断手段と、前記判断手段で前記無線タグの情報を読取るタイミングであることを判断すると、前記アンテナに無線タグをかざすようにユーザに促す案内を前記表示部に表示させる読取案内手段と、前記判断手段で前記無線タグの情報を読取るタイミングであることを判断すると、前記アンテナから電波発信を開始させる電波発信手段とを具備したことを特徴とする無線タグ読取装置。
【請求項２】
前記表示部にユーザが近づいたことを検知する検知手段を設け、前記判断手段は、前記検知手段により前記表示部に前記ユーザが近づいたことが検知されると前記無線タグの情報を読取るタイミングであると判断することを特徴とする請求項１記載の無線タグ読取装置。
【請求項３】
少なくとも個人を特定する情報が保存された無線タグから情報を読取るアンテナを有した無線タグ読取部を、店員用表示部及び顧客用表示部とともに備えてなる商品販売データ処理装置において、
前記顧客用表示部に前記無線タグ読取部のアンテナを設けるとともに、
前記無線タグの情報を読取るタイミングを判断する判断手段と、前記判断手段で前記無線タグの情報を読取るタイミングであることを判断すると、前記アンテナに無線タグをかざすようにユーザに促す案内を前記顧客用表示部に表示させる読取案内手段と、前記判断手段で前記無線タグの情報を読取るタイミングであることを判断すると、前記アンテナから電波発信を開始させる電波発信手段とを具備したことを特徴とする商品販売データ処理装置。
【請求項４】
商品販売データを入力するための入力ユニットと、この入力ユニットを介して入力された商品販売データを登録処理するための登録ユニットと、少なくとも個人を特定する情報が保存された無線タグから情報を読取るアンテナを有した無線タグ読取部とを具備し、前記入力ユニットに顧客用表示部を設けてなる商品販売データ処理装置において、
前記顧客用表示部に前記無線タグ読取部のアンテナを設けるとともに、
前記無線タグの情報を読取るタイミングを判断する判断手段と、前記判断手段で前記無線タグの情報を読取るタイミングであることを判断すると、前記アンテナに無線タグをかざすようにユーザに促す案内を前記顧客用表示部に表示させる読取案内手段と、前記判断手段で前記無線タグの情報を読取るタイミングであることを判断すると、前記無線タグ読取部から電波発信を開始させる電波発信手段とを具備したことを特徴とする商品販売データ処理装置。
【請求項５】
前記顧客用表示部に設けられた入力手段と、前記無線タグ読取部により前記無線タグに保存された少なくとも個人を特定する情報が読取られると、その個人特定情報を通知するとともに、前記入力手段を操作してその個人特定情報が間違っているかどうかの確認入力をユーザに促す案内を前記顧客用表示部に表示させる読取完了案内手段とをさらに具備したことを特徴とする請求項３又は４記載の商品販売データ処理装置。
【請求項６】
無線タグを有する各ユーザの個人情報を記憶したユーザ情報ファイルを有した上位機器との通信手段と、前記無線タグ読取部により前記無線タグに保存された個人特定情報が読取られると、その個人特定情報で特定されるユーザの個人情報を前記ユーザ情報ファイルから前記通信手段を介して呼出して前記顧客用表示部に表示させる顧客情報案内手段とをさらに具備したことを特徴とする請求項３又は４記載の商品販売データ処理装置。
【請求項７】
前記顧客用表示部に入力手段を設け、
前記顧客情報案内手段は、前記個人特定情報で特定されるユーザの個人情報とともにこの情報の表示消去を希望する場合に前記入力手段の操作を顧客に促す案内を前記顧客用表示部に表示させる手段とし、
この顧客情報案内手段による情報表示後、前記入力手段が入力されると前記顧客用表示部の表示を消去する表示消去手段をさらに具備したことを特徴とする請求項６記載の商品販売データ処理装置。
【請求項８】
前記顧客用表示部に、表示情報が周囲から見られるのを遮蔽する遮蔽部を設けたことを特徴とする請求項６記載の商品販売データ処理装置。
【請求項９】
各商品にそれぞれ付された商品用無線タグから商品情報を読取る商品用無線タグ読取部と、前記入力ユニットの近傍に設けられた前記商品無線タグ読取部のアンテナと、前記商品用無線タグ読取部から電波を発信させる際には、前記個人を特定する情報が保存された無線タグから情報を読取る無線タグ読取部からの電波発信を停止させる電波停止手段とをさらに具備したことを特徴とする請求項４記載の商品販売データ処理装置。
【請求項１０】
各商品にそれぞれ付された商品用無線タグから商品情報を読取る商品用無線タグ読取部と、前記入力ユニットの近傍に設けられた前記商品無線タグ読取部のアンテナとをさらに具備し、前記商品用無線タグ読取部は、前記個人を特定する情報が保存された無線タグから情報を読取る無線タグ読取部が使用する電波とは周波数が異なる電波を用いて前記商品用無線タグの情報を読取ることを特徴とする請求項４記載の商品販売データ処理装置。
【発明の詳細な説明】
【技術分野】
【０００１】
本発明は、少なくとも個人を特定する情報が保存された無線タグの読取装置及び当該無線タグの読取部を備えたＰＯＳ（Point Of Sales）端末装置等の商品販売データ処理装置に関する。
【背景技術】
【０００２】
店舗等で使用される会員カードやポイントカードには、少なくとも個人を特定するＩＤ番号等の情報が保存されており、この種のカードを取り扱う処理装置は、カードから読取った個人特定情報を基にカードユーザを特定して、所定の情報処理を行うものとなっている。
【０００３】
従来、この種のカードは磁気カードが主流であった。しかし磁気カードは、一般に、使用時にカードユーザがオペレータにカードを渡していたため使い勝手が悪かった。そこで、交通機関の定期券や建物への入場許可証などとして実用されている非接触ＩＣカードをポイントカードとして使用するシステムが提案されている。このシステムでは、ＰＯＳ端末に非接触ＩＣカードの読取部が内蔵され、この読取部でポイントカードとして使用される非接触ＩＣカードの記憶情報を読取る。この読取部が非接触ＩＣカードの記憶情報を読取るためには、非接触ＩＣカードが読取部のアンテナにかざされることが必要である（例えば、特許文献１参照）。
【特許文献１】特開２００２−１１７２８０公報
【発明の開示】
【発明が解決しようとする課題】
【０００４】
しかしながら、従来のシステムにおいては、カードユーザ自身が読取部のアンテナにカードをかざす場合、カードユーザはカードを読取部のアンテナにかざすタイミングが分からないので、まだ、かざすタイミングでないのにかざしてしまったり、逆に、かざすタイミングであるにも拘らずかざさないためにその後の処理が遅れるといった問題があった。
【０００５】
本発明はこのような事情に基づいてなされたもので、その目的とするところは、少なくとも個人を特定する情報が保存された無線タグを読取部のアンテナにかざすタイミングを無線タグのユーザに容易に知らせることができ、ユーザが常に適切なタイミングで無線タグをアンテナにかざすことができる無線タグ読取装置及び商品販売データ処理装置を提供しようとするものである。
【課題を解決するための手段】
【０００６】
本発明の無線タグ読取装置は、本体の一面に、表示部と少なくとも個人を特定する情報が保存された無線タグから情報を読取るアンテナとを配置する。また、アンテナで読取った情報を処理する情報処理手段の他に、無線タグの情報を読取るタイミングを判断する判断手段を設ける。そして、判断手段で無線タグの情報を読取るタイミングであることを判断すると、アンテナに無線タグをかざすようにユーザに促す案内を表示部に表示させるとともに、アンテナから電波発信を開始させるようにしたものである。
【０００７】
また、本発明の商品販売データ処理装置は、少なくとも個人を特定する情報が保存された無線タグから情報を読取るアンテナを有した無線タグ読取部を、店員用表示部及び顧客用表示部とともに備えてなるものである。このものにおいて、顧客用表示部に無線タグ読取部のアンテナを設けるとともに、無線タグの情報を読取るタイミングを判断する判断手段を設ける。そして、判断手段で無線タグの情報を読取るタイミングであることを判断すると、アンテナに無線タグをかざすようにユーザに促す案内を表示部に表示させるとともに、アンテナから電波発信を開始させるようにしたものである。
【発明の効果】
【０００８】
かかる手段を講じた本発明によれば、少なくとも個人を特定する情報が保存された無線タグをどのタイミングでアンテナ部にかざしたらよいのかを無線タグのユーザに容易に知らせることができ、ユーザが常に適切なタイミングで無線タグをアンテナにかざすことができる無線タグ読取装置及び商品販売データ処理装置を提供できる。
【発明を実施するための最良の形態】
【０００９】
以下、本発明を実施するための最良の形態について、図面を用いて説明する。
【００１０】
なお、この実施の形態は、図１に示すように、会員となった各顧客に対してそれぞれ発行される会員証（会員カード）１に無線タグ２を設け、この無線タグ２が内蔵するＩＣチップのメモリ部に、タグ固有のＲＦＩＤとともに、当該無線タグ２が設けられた会員証１の発行元を特定する会社コードと、当該会員証１が発行された会員個人を特定する会員番号とを記憶させることによって、非接触ＩＣカード形式の会員証１を使用してユーザを特定する場合である。
【００１１】
［第１の実施の形態］
図２は本発明の無線タグ読取装置に関する一実施の形態の要部構成を示すブロック図であり、同図において、符号１０は無線タグ読取装置を示している。この無線タグ読取装置１０は、ディスプレイ１０１及びその駆動部１０２と、アンテナ１０３及びこのアンテナ１０３を介して交信領域内にある無線タグ２に質問波を送信し、当該無線タグ２からの応答波を同アンテナ１０３を介して受信する電磁波送受信部１０４と、顧客が近づいたことを検出する検知手段としての人感センサ１０５及び顧客自身によって操作される入力手段としてのスイッチ１０６と、人感センサ１０５及びスイッチ１０６からの信号が入力される信号入力部１０７と、無線タグ２の情報読取り及びその情報のユーザの確認に必要な待機時間、例えば数秒から数十秒を計時するタイマ１０８と、ＬＡＮ（Local Area Network）等の通信手段を介して外部装置２０がデータ通信自在に接続される外部インターフェイス１０９と、ＣＰＵ（Central Processing Unit）を主体とし各部を制御する制御部１１０とから構成されている。
【００１２】
外部装置２０は、例えば本無線タグ読取装置１０によって会員証１の無線タグ２から読取った会社コードで識別されるカード発行元のサーバ用コンピュータである。
【００１３】
かかる構成の無線タグ読取装置１０は、図３〜図５に示すように、本体の一面に、会員証１を所有している顧客に対する表示部１１１が形成されている。表示部１１１には、ディスプレイ１０１とアンテナ１０３と人感センサ１０５とスイッチ１０６とが配置されている。アンテナ１０３，人感センサ１０５及びスイッチ１０６は、ディスプレイ１０１近傍の一側部に設けられている。因みに、アンテナ１０３の交信領域は、数ｃｍから数１０ｃｍ程度である。人感センサ１０５は、顧客が表示部１１１に数メートル以内に近づくとオンするもので、赤外線センサ等が使用されている。スイッチ１０６は、押しボタン方式のスイッチである。
【００１４】
しかして、制御部１１０は、図６の流れ図に示す手順で各部を制御するものとなっている。先ず、制御部１１０は、初期状態としてディスプレイ１０１の画面をクリアする。また、アンテナ１０３からの電磁波送信を停止状態とする（ＳＴ１）。この状態で、制御部１１０は、人感センサ１０５からオン信号が入力されるか（ＳＴ２）、外部装置２０から表示データが送られてくるのを待機する（ＳＴ３）。そして、外部インターフェイス１０９を介して外部装置２０からの表示データを受信すると、制御部１１０は、ディスプレイ駆動部１０２を制御して、表示データの内容をディスプレイ１０１に表示させる（ＳＴ４）。
【００１５】
これに対し、人感センサ１０５からオン信号が信号入力部１０７に入力された場合には、制御部１１０は、会員証１に設けられた無線タグ２の情報を読取るタイミングであると判断し（判断手段）、電磁波送受信部１０４を制御して質問波としての電磁波をアンテナ１０３から発信させる（ＳＴ５：電波発信手段）。また、ディスプレイ駆動部１０２を制御して、読取開始案内画面をディスプレイ１０１に表示させる（ＳＴ６：読取開始案内手段）。なお、電磁波の発信を開始するタイミングと読取開始案内画面を表示させるタイミングはほぼ同時であってもよく、先に電磁波を発信させてから読取開始案内画面を表示させてもよい。
【００１６】
読取開始案内画面の一例を図３に示す。本実施の形態では、会員証１を読取るタイミングであることと会員証１の読取場所を通知し、顧客に前記読取場所に会員証１をかざすように促すメッセージ「会員証を読取ります。ここに会員証をかざして下さい。⇒」を、読取開始案内画面として表示する。すなわち読取開始案内手段は、アンテナ１０３に無線タグをかざすように促す読取開始案内画面をディスプレイ１０１に表示させている。
【００１７】
次に、制御部１１０は、タイマ１０８を起動させる（ＳＴ７）。そして、このタイマ１０８がタイムアウトする前にアンテナ１０３を介して無線タグ２からの応答波を受信し、それを解析して会員証１に設けられた無線タグ２のメモリ情報、すなわちＲＦＩＤ，会社コード及び会員番号の各情報を読取ると（ＳＴ８）、制御部１１０は、ディスプレイ駆動部１０２を制御して、読取完了案内画面をディスプレイ１０１に表示させる（ＳＴ１０：読取完了案内手段）。
【００１８】
読取完了案内画面の一例を図４に示す。本実施の形態では、会員証１に設けられた無線タグ２から読取った個人を特定する情報の通知と、前記スイッチ１０６を操作してその個人情報が間違っているかどうかの確認入力を促すメッセージ「会員証を読取りました。お客様の会員番号はＸＸＸＸＸＸＸＸです。違っていた場合にはスイッチを押してください。⇒」とを、読取完了案内画面として表示する。
【００１９】
そこで制御部１１０は、タイマ１０８がタイムアウトする前にスイッチ１０６のオン信号が信号入力部１０７に入力されると（ＳＴ１１）、ディスプレイ１０１の画面を読取開始案内画面に戻す（ＳＴ６）。これに対し、スイッチ１０６のオン信号が入力されることなくタイマ１０８がタイムアウトした場合には（ＳＴ１２）、制御部１１０は、無線タグ２から読取ったタグ記憶情報を外部インターフェイス１０９を介して外部装置２０に送信する（ＳＴ１３：情報処理手段）。しかる後、制御部１１０は、この処理の開始に戻って、ディスプレイ１０１の画面をクリアするとともにアンテナ１０３からの電磁波送信を停止状態とする（ＳＴ１：電波停止手段）。
【００２０】
なお、無線タグ２のメモリ情報を読取る前にタイマ１０８がタイムアウトした場合には（ＳＴ９）、制御部１１０は、その時点でこの処理の開始に戻って、ディスプレイ１０１の画面をクリアするとともにアンテナ１０３からの電磁波送信を停止状態とするものとなっている（ＳＴ１）。
【００２１】
このように構成された本実施の形態の無線タグ読取装置１０は、例えば小売店等に設置される会員ポイント照会端末として機能させることが可能である。この場合、外部装置２０には、会員別に会員番号と最新のポイント情報とを対応付けて記憶したデータファイルを有したサーバ用コンピュータが接続されている。
【００２２】
さて、会員である顧客は、自身の最新のポイント情報を確認したい場合、店内に設置されている無線タグ読取装置１０の表示部１１１に近づく。すると、人感センサ１０５がオンして、アンテナ１０３から電磁波の送信が開始されるとともに、ディスプレイ１０１に読取開始案内画面が表示される。この指示に従い、顧客は、自身の会員証１を画面の矢印で指示されたアンテナ１０３にかざす。すると、アンテナ１０３を介して当該会員証１に設けられた無線タグ２のメモリ情報が非接触で読取られ、ディスプレイ１０１に読取終了案内画面が表示される。この読取終了案内画面には、顧客自身の会員番号が表示されるので、顧客は表示された会員番号を確認する。そして、自身の会員番号と違っていた場合には、画面の矢印で指示されたスイッチ１０６を入力操作する。すると、ディスプレイ１０１に読取開始案内画面が再び表示されるので、顧客は、会員証１をアンテナ１０３に再度かざす。
【００２３】
ディスプレイ１０１に表示された会員番号が正しかった場合には、顧客は、スイッチ１０６を操作しない。この場合、アンテナ１０３を介して読取られた無線タグ２のメモリ情報がサーバ用コンピュータ（外部装置２０）に送られるとともに、アンテナ１０３からの電磁波送信が停止される。これにより、サーバ用コンピュータでは、データファイルが検索されてタグメモリ情報中の会員番号に対応して記憶されている最新のポイント情報が読み出され、このポイント情報を含む表示データが作成されて、無線タグ読取装置１０に送信される。そして、ディスプレイ１０１に当該表示データの内容が表示される。かくして、顧客はセルフ操作によって自身の最新のポイント情報を確認することができる。
【００２４】
このように本実施の形態によれば、顧客は、ディスプレイ１０１に表示された案内に従って無線タグ２が設けられた会員証１をアンテナ１０３にかざせばよいので、どのタイミングで会員証１をかざせばよいのか、また、会員証１を何処にかざせばよいのかを容易に知ることができる。したがって、無線タグ２をアンテナ１０３にかざすタイミングでないのにかざしてしまったり、逆に、かざすタイミングであるにも拘らずかざさなかったりといったことがなくなり、ユーザは常に適切なタイミングで無線タグ２をアンテナ１０３にかざすことができるようになる。
【００２５】
また、無線タグ２から読取られたメモリ情報の少なくとも一部（本実施の形態では会員番号）がディスプレイ１０１に表示されるので、顧客は、このメモリ情報の表示を確認することによって無線タグ２の読取りが完了したことも容易に知ることができる。しかも、例えば表示部１１１の近くに居た他人の会員証の無線タグ情報が誤って読取られてしまっても、顧客は、ディスプレイ１０１の表示内容から読取間違いが発生していることに容易に気が付く。そして、この場合には、ディスプレイ１０１の表示に従い、スイッチ１０６を操作することにより再読取が行なわれるので、この点においても使い勝手が大いによいものとなる。
【００２６】
さらに、本実施の形態においては、無線タグ２を読取るタイミングになるとアンテナ１０３から電磁波の送信が開始され、無線タグ２の読取りが正当に完了すると、電磁波の送信が停止される。したがって、電磁波送信の時間が最小限に抑制されるので、他の無線通信との電波干渉を低減でき、例えば１店舗以内における無線タグ読取装置１０の設置台数を大幅に増加させても電波干渉による影響を極力抑制することができる。
【００２７】
なお、本実施の形態では、読取開始案内画面に表示するメッセージには会員証１を読取るタイミングであることと会員証１の読取場所を通知を含めたが、図５に示すように、予めアンテナ１０３の取付位置に会員証１に設けられた無線タグ２の読取場所であることを示すマーク（図では「会員証認証部」）を付すことによって、会員証１を読取るタイミングであることを通知し、ユーザに前記読取場所に会員証１をかざすように促すメッセージを表示させなくてもよい。また、メッセージの内容は、本実施の形態のものに限定されるものではなく、ユーザが必要に応じて適宜変更可能であるのは言うまでもないことである。
【００２８】
また、本実施の形態では、ディスプレイ１０１に表示された無線タグ２のメモリ情報に誤りがある場合にスイッチ１０６を操作するようにしたが、正しい場合にスイッチ１０６を操作するように構成してもよい。これは、図６のＳＴ１１の判断処理においてスイッチ１０６の入力を検知したならばＳＴ１３の処理に進み、ＳＴ１２の判断処理においてタイムアウトを検知した場合にはＳＴ６の処理に戻るように、制御部１１０の構成を変更することによって容易に実施することができる。また、スイッチを２つ設け、表示内容が正しいときには一方を操作し、間違っているときには他方を操作するようにしてもよい。
【００２９】
また、無線タグ読取装置１０にブザーや音声合成装置を設け、読取開始案内画面や読取完了案内画面をディスプレイ１０１に表示させる際にブザーや音声合成装置を動作させて、ブザー音や音声による案内を併用してもよい。
【００３０】
［第２の実施の形態］
図７は本発明の商品販売データ処理装置に関する一実施の形態の外観図であり、図８は同実施の形態の要部構成を示すブロック図であって、商品販売データ処理装置は、商品販売データを入力するための入力ユニット３０と、この入力ユニット３０を介して入力された商品販売データを登録処理するための登録ユニット４０と、入力ユニット３０に内蔵された無線タグ読取部５０とから構成されている。
【００３１】
入力ユニット３０は、バーコードスキャナ３０１及びその駆動部３０２と、キーボード３０３及びこのキーボード３０３から操作キーに対応したキー信号が入力されるキー信号入力部３０４と、店員用ディスプレイ３０５及びその駆動部３０６と、顧客用ディスプレイ３０７及びその駆動部３０８と、顧客自身によって操作される入力手段としてのスイッチ３０９及びこのスイッチ３０９からの信号が入力される信号入力部３１０とから構成されている。
【００３２】
入力ユニット３０は、チェックアウトカウンタ３１の略中央部に取り付けられており、キャッシャ３２側にバーコードスキャナ３０１とキーボード３０３と店員用ディスプレイ３０５とを設け、反対側の顧客側に顧客用ディスプレイ３０７とスイッチ３０９を設けている。
【００３３】
無線タグ読取部５０は、アンテナ５１と、このアンテナ５１を介して交信領域内にある無線タグ２に質問波を送信し、当該無線タグ２からの応答波を同アンテナ５１を介して受信する電磁波送受信部５２とから構成されている。
【００３４】
登録ユニット４０は、キーボード４０１及びこのキーボード４０１から操作キーに対応したキー信号が入力されるキー信号入力部４０２と、店員用ディスプレイ４０３及びその駆動部４０４と、顧客用ディスプレイ４０５及びその駆動部４０６と、レシート印字等を行うプリンタ４０７及びその駆動部４０８と、ＬＡＮ等の通信手段を介してストアコントローラ６０がデータ通信自在に接続される通信手段としての通信インターフェイス４０９と、現金等を収容するためのドロワ４１０及びこのドロワ４１０に駆動信号を出力する信号出力部４１１と、無線タグ２の情報読取り及びその情報のユーザの確認に必要な待機時間、例えば数秒から数十秒を計時するタイマ４１２と、商品販売データ等を記憶する記憶部４１３と、ＣＰＵを主体とし、登録ユニット４０，入力ユニット３０及び無線タグ読取部５０の各部を制御する制御部４１４とから構成されている。
【００３５】
ストアコントローラ６０は、複数の商品販売データ処理装置の上位機として機能するもので、特に、全会員別の個人特定情報である会員コードに対応して、氏名，性別，年齢，職業，嗜好品，販促品等の個人情報を設定記憶した顧客情報ファイル（ユーザ情報ファイル）６１を有している。販促品情報は、顧客個人情報の嗜好品に関連する販促品を店舗で定期的に選択し、ストアコントローラ６０に記憶されている。
【００３６】
かかる構成の商品販売データ処理装置は、入力ユニット３０のキーボード３０３に、会員証１に設けられた無線タグ２の読取開始を指令するスタートキー３３が設けられている。また、登録ユニット４０のキーボード４０１に、１顧客が買上げる商品の販売登録終了を宣言する締めキー４１が設けられている。
【００３７】
また、図９〜図１１に示すように、入力ユニット３０側における顧客用ディスプレイ３０７の画面近傍の一側部に、無線タグ読取部５０のアンテナ５１とスイッチ３０９とが設けられており、これらによって顧客用表示部３１１が形成されている。因みに、アンテナ５１の交信領域は、数ｃｍから数１０ｃｍ程度である。スイッチ３０９は、押しボタン方式のスイッチである。
【００３８】
しかして、制御部４１４は、図１２の流れ図に示す手順で会員証１に設けられた無線タグ２の読取制御を行うものとなっている。先ず、制御部４１４は、初期状態として顧客用ディスプレイ３０７の画面をクリアする。また、アンテナ５１からの電磁波送信を停止状態とする（ＳＴ２１）。この状態で、制御部４１４は、スタートキー３３の押下を待機する（ＳＴ２２）。
【００３９】
そして、キー信号入力部３０４に入力されたキー信号によりスタートキー３３が押下されたことを検知すると、制御部４１４は、会員証１に設けられた無線タグ２の情報を読取るタイミングであると判断し（判断手段）、電磁波送受信部５２を制御して質問波としての電磁波をアンテナ５１から発信させる（ＳＴ２３）。また、ディスプレイ駆動部３０８を制御して、読取開始案内画面を顧客用ディスプレイ３０７に表示させる（ＳＴ２４：読取開始案内手段）。
【００４０】
読取開始案内画面の一例を図９に示す。すなわち本実施の形態では、第１の実施の形態と同様の読取開始案内画面をディスプレイ３０７に表示させている。なお、本実施の形態においても、電磁波の発信を開始するタイミングと読取開始案内画面を表示させるタイミングはほぼ同時であってもよく、先に電磁波を発信させてから読取開始案内画面を表示させてもよい。
【００４１】
次に、制御部４１４は、タイマ４１２を起動させる（ＳＴ２５）。そして、このタイマ４１２がタイムアウトする前にアンテナ５１を介して無線タグ２からの応答波を受信し、それを解析して会員証１に設けられた無線タグ２のメモリ情報を読取ると（ＳＴ２６）、制御部４１４は、ディスプレイ駆動部３０８を制御して、読取完了指示画面を顧客用ディスプレイ３０７に表示させる（ＳＴ２８：読取完了案内手段手段）。
【００４２】
読取完了案内画面の一例を図１０に示す。本実施の形態では、会員証１に設けられた無線タグ２から読取った個人を特定する情報の通知と、前記スイッチ１０６を操作してその個人情報が間違っているかどうかの確認入力を促すメッセージ「会員証を読取りました。お客様の会員番号はＸＸＸＸＸＸＸＸです。正しい場合にはスイッチを押してください。⇒」とを、読取完了案内画面として表示する。
【００４３】
そこで制御部４１４は、タイマ４１２がタイムアウトする前にスイッチ３０９のオン信号が信号入力部３１０に入力されると（ＳＴ２９）、アンテナ５１からの電磁波送信を停止状態とする（ＳＴ３１）。また、無線タグ２から読取ったタグ記憶情報の会員番号でストアコントローラ６０に顧客個人情報の問合わせを行う。そして、ストアコントローラ６０から顧客情報ファイル６１に格納された当該会員番号に対応する顧客個人情報を受信したならば、ディスプレイ駆動部３０８を制御して、顧客個人情報案内画面を顧客用ディスプレイ３０７に表示させる（ＳＴ３２：顧客情報案内手段）。
【００４４】
顧客個人情報案内画面の一例を図１１に示す。本実施の形態では、顧客個人情報として取得した氏名と販促品情報の通知と、この通知を消去したい時に前記スイッチ３０９を操作して表示消去入力を促すメッセージ「○○さん、明日はビールがお買得  この表示を消したいときはスイッチを押して下さい。⇒」とを顧客個人情報案内画面として表示する。
【００４５】
そこで制御部４１４は、スイッチ３０９のオン信号が信号入力部３１０に入力されると（ＳＴ３３）、顧客用ディスプレイ３０７の画面をクリアして（ＳＴ３４：表示消去手段）、通常の商品登録処理に移行する。スイッチ３０９のオン信号が入力されない場合には、顧客個人情報案内画面を表示させたまま通常の商品登録処理に移行する。
【００４６】
なお、顧客用ディスプレイ３０７に読取完了案内画面を表示させた後、スイッチ３０９が押下されることなくタイマ４１２がタイムアウトした場合には（ＳＴ３０）、制御部４１４は、顧客用ディスプレイ３０７の画面を読取開始案内画面に戻す（ＳＴ２４）。また、無線タグ２のメモリ情報を読取る前にタイマ４１２がタイムアウトした場合には（ＳＴ２７）、制御部４１４は、この処理の開始に戻って、顧客用ディスプレイ３０７の画面をクリアするとともにアンテナ５１からの電磁波送信を停止状態とする（ＳＴ２１：電波停止手段）。
【００４７】
このように構成された本実施の形態の商品販売データ処理装置を使用する小売店においては、顧客が買上商品の代金を精算するためにチェックアウトカウンタ３１の近傍に来ると、キャッシャ３２は、入力ユニット３０側のキーボード３０３に設けられたスタートキー３３を入力操作する。すると、入力ユニット３０側の顧客用ディスプレイ３０７に読取開始案内画面が表示される。この指示に従い、顧客は、自身の会員証１を画面の矢印で指示されたアンテナ５１にかざす。すると、アンテナ５１を介して当該会員証１に設けられた無線タグ２のメモリ情報が非接触で読取られ、顧客用ディスプレイ３０７に読取終了指示画面が表示される。この読取終了指示画面には、顧客自身の会員番号が表示されているので、顧客は表示された会員番号を確認する。そして、自分の会員番号であった場合には、画面の矢印で指示されたスイッチ３０９を入力操作する。すると、アンテナ１０３からの電磁波送信が停止されるとともに、当該会員番号に対応して顧客情報ファイル６１に記憶されている顧客個人情報がストアコントローラ６０から呼出され、顧客用ディスプレイ３０７に表示される。かくして、顧客は、自身にとって有益な販促品情報等を得ることができる。ここで、顧客が顧客個人情報出力画面の内容を他人に見られたくないと感じたときには、スイッチ３０９を入力操作する。すると、顧客個人情報案内画面が速やかに消去されるので、顧客のプライバシーを保護できる。
【００４８】
このように本実施の形態においても、前記第１の実施の形態と同様に、顧客は、顧客用ディスプレイ３０７に表示された指示に従って無線タグ２が設けられた会員証１をアンテナ５１にかざせばよいので、どのタイミングで会員証１をかざせばよいのか、また何処に会員証１をかざせばよいのかを容易に知ることができ、使い勝手のよいものとなる。また、無線タグ２の読取りが完了したことも顧客が容易に確認できる上、電磁波送信の時間を最小限に抑制でき、他の無線通信との電波干渉を低減できる効果も同様に奏し得る。
【００４９】
なお、本実施の形態では、顧客用ディスプレイ３０７に顧客個人情報案内画面が表示された状態でスイッチ３０９が入力操作されると、表示消去手段により顧客個人情報案内画面を消去するようにしたが、図１３に示すように、顧客用ディスプレイ３０７の画面を含む表示部３１１の両側部に一対の遮蔽板３１２，３１３を取り付けて、顧客用ディスプレイ３０７の表示情報を周囲から見られるのを遮蔽するようにし、表示消去手段を省略しても、顧客のプライバシーを保護する効果を奏することができる。なお、遮蔽板３１２，．３１３は、表示部３１１の両側部だけでなく、上部あるいは下部に設けてもよい。また、金属部材で遮蔽板３１２，３１３を形成することによって、アンテナ５１から発信される電波と他の電波との干渉を極力無くすことができる効果も奏する。
【００５０】
また、前記実施の形態では、スタートキー３３が操作された時点を無線タグ２の情報を読取るタイミングであると認識したが、登録ユニット４０側のキーボード４０１に設けられている締めキー４１が操作された時点を無線タグ２の情報を読取るタイミングであると認識してもよい。こうすることにより、顧客が買上げる商品の販売登録を先に行い、登録終了後に、顧客が所持する会員証１の無線タグ２を読取る運用に対応できるようになる。また、顧客が買上げる商品の１点目が販売登録された時点を無線タグ２の情報を読取るタイミングであると認識するように構成してもよい。これらの場合、いずれもスタートキー３３の操作を省略できるので、キャッシャの操作性を向上させることができる。また、スタートキー３３の代わりに第１の実施の形態で用いた人感センサを顧客用表示部３１１に設け、人感センサのオン信号が入力された時点を無線タグ２の情報を読取るタイミングであると認識するように構成しても、キャッシャの操作性は向上する。
【００５１】
また、前記実施の形態は、入力ユニット３０と登録ユニット４０とを別体にした商品販売データ処理装置に本発明を適用した場合であったが、入力ユニット３０と登録ユニット４０とが一体化された商品販売データ処理装置、いわゆる電子式キャッシュレジスタやＰＯＳ端末と称される商品販売データ処理装置にも、本発明は同様に適用できるものである。
【００５２】
図１４は、かかる商品販売データ処理装置の一例である対面販売用ＰＯＳ端末７０の外観構成を示す斜視図である。このＰＯＳ端末７０は、正面のキャッシャ側にキーボード７１と店員用ディスプレイ７２とが設けられており、その反対側の顧客側に顧客用ディスプレイ７３が設けられている。また、バーコードスキャナ７４やドロワ７５等も設けられている。
【００５３】
このＰＯＳ端末７０においては、顧客用ディスプレイ７３を、前記第２の実施の形態における入力ユニット３０側の顧客用ディスプレイ３０７と同様に機能させる。すなわち、顧客用ディスプレイ７３の画面近傍に無線タグ読取部５０のアンテナ５１とスイッチ３０９とを設ける。また、ＰＯＳ端末７０の制御部が図１２に示した手順で会員証１に設けられた無線タグ２の読取制御を行う。このように構成することによって、対面販売用のＰＯＳ端末７０に対しても本発明を実施することができる。
【００５４】
［第３の実施の形態］
図１５は本発明の商品販売データ処理装置に関する他の実施の形態を示す外観図であり、図１６は同実施の形態の要部構成を示すブロック図であって、図７及び図８に示した第２の実施の形態と同一部分には同一符号を付している。
【００５５】
すなわち、本実施の形態が第２の実施の形態とシステム構成上で異なる点は、入力ユニット３０，登録ユニット４０及び無線タグ読取部５０に加え、新たにアンテナ８１と電磁波送受信部８２とからなる商品用無線タグ読取部８０を設け、この商品用無線タグ読取部８０を登録ユニット４０の制御部４１４で制御するようにした点である。商品用無線タグ読取部８０は、各商品にそれぞれ付され、少なくともその商品を特定するための情報が保存された商品用無線タグから情報を読取るもので、チェックアウトカウンタ３１の入力ユニット３０よりキャッシャ３２にとって手前側にアンテナ８１が埋設されている。これにより、キャッシャ３２が客買上商品をアンテナ８１上に置くことによって、当該商品に付された商品用無線タグの情報が読取られ、登録ユニット４０に伝送されて、当該商品の販売情報が登録処理されるようになっている。
【００５６】
しかして、制御部４１４は、図１７の流れ図に示す手順で会員証１に設けられた無線タグ２の読取制御を行うものとなっている。なお、図１２の流れ図に示す手順と同一処理ステップには同一符号を付している。
【００５７】
先ず、制御部４１４は、初期状態として顧客用ディスプレイ３０７の画面をクリアする。また、アンテナ５１及びアンテナ８１からの電磁波送信をいずれも停止状態とする（ＳＴ４１）。この状態で、スタートキー３３の押下に応じてアンテナ５１から電磁波を発信させてから、読取完了案内画面が顧客用ディスプレイ３０７に表示された状態でスイッチ３０９が操作されてアンテナ５１からの電磁波発信を停止させるまで（ＳＴ２２〜ＳＴ３１）は、第２の実施の形態と同様に制御される。
【００５８】
本実施の形態では、アンテナ５１からの電磁波発信を停止させた後（ＳＴ３１）、電磁波送受信部８２を制御して質問波としての電磁波をアンテナ８１から発信させる（ＳＴ４２）。そして、アンテナ８１を介して商品用無線タグのメモリ情報が読取られたならば（ＳＴ４３）、そのメモリ情報に基づいて商品販売データを記憶部４１３に登録処理するとともに、当該商品の品名，販売価格等を入力ユニット３０の店員用ディスプレイ３０５及び顧客用ディスプレイ３０７に表示させる（ＳＴ４４）。
【００５９】
制御部４１４は、締めキー４１が操作されるまで、商品用無線タグのメモリ情報を読取る毎に上記ＳＴ４４の処理を実行する。そして、キー信号入力部４０２に入力されたキー信号により締めキー４１が操作されたことを検知したならば（ＳＴ４５）、制御部４１４は、アンテナ８１からの電磁波送信を停止状態とする（ＳＴ４６）。しかる後、制御部４１４は、プリンタ４０７によるレシートの印字発行，ドロワ４１０のオープンなどの登録締め処理を実行して（ＳＴ４７）、１顧客に対する制御を終了するものとなっている。
【００６０】
このように構成された本実施の形態においては、商品用無線タグ読取部８０から電波を発信させる際には無線タグ読取部５０からの電波発信を停止させるようにしたので、両無線タグ読取部８０，５０が近接されていても、お互いの電波が干渉することはなく、電波干渉によって会員カード１に設けられた無線タグ２や商品に付された無線タグの読取精度が低下するのを未然に防ぐことができる。
【００６１】
なお、本実施の形態では、商品用無線タグ読取部８０から電波を発信させる際には無線タグ読取部５０からの電波発信を停止させるようにしたが、商品用無線タグ読取部８０から発信される電波の周波数を、無線タグ読取部５０から発信される電波の周波数とは異ならせることによって、確実に電波干渉を無くすことができ、無線タグの読取精度をより一層高めることができる。
【００６２】
なお、本発明は前記各実施の形態に限定されるものではない。  
例えば前記各実施の形態では、スイッチ１０６，３０９を押しボタン方式としたが、スイッチの方式はこれに限定されるものではなく、例えば、ディスプレイ１０１，３０７をタッチパネルで構成し、タッチパネル上のタッチボタンをスイッチ１０６，３０９として使用してもよい。
【００６３】
また、前記各実施の形態では、アンテナ１０３を、ディスプレイ１０１が配置された本体の一面において、ディスプレイ１０１近傍の一側部に設けたが、アンテナの取付位置は、例えばディスプレイ１０１の上部又は下部や、ディスプレイ１０１が配置された面とは異なる他の本体の一面にアンテナ１０３を設けてもよい。また、アンテナ５１をディスプレイ３０７の画面近傍の一側部に設けたが、例えばディスプレイ３０７の画面上部又は下部や、画面の裏側にアンテナ５１を設けてもよい。
【００６４】
また、前記各実施の形態では、会員証１に設けられた無線タグ２の読取装置又は同無線タグ２の読取部を有した商品販売データ処理装置として本発明を説明したが、社員証，ポイントカード，キャッシュカード等のように、少なくとも個人を特定する情報が必要な物品に設けられた無線タグの読取装置または商品販売データ処理装置に本発明は適用できるものである。また、会員証１等の物品に設けられていない単体の無線タグ２の読取装置または商品販売データ処理装置であってもよい。
【図面の簡単な説明】
【００６５】
【図１】本発明の実施の形態で使用する会員証を示す模式図。
【図２】本発明の第１の実施の形態における要部構成を示すブロック図。
【図３】同第１の実施の形態における読取開始指示画面の一例を示す模式図。
【図４】同第１の実施の形態における読取開始完了画面の一例を示す模式図。
【図５】同第１の実施の形態における読取開始指示画面の他の例を示す模式図。
【図６】同第１の実施の形態における制御部の主要な制御手順を示す流れ図。
【図７】本発明の第２の実施の形態における外観図。
【図８】同第２の実施の形態における要部構成を示すブロック図。
【図９】同第２の実施の形態における読取開始指示画面の一例を示す模式図。
【図１０】同第２の実施の形態における読取開始完了画面の一例を示す模式図。
【図１１】同第２の実施の形態における顧客個人情報出力画面の一例を示す模式図。
【図１２】同第２の実施の形態における制御部の無線タグ読取制御手順を示す流れ図。
【図１３】同第２の実施の形態における表示部の他の例を示す模式図。
【図１４】同第２の実施の形態における商品販売データ処理装置の他の例を示す斜視図。
【図１５】本発明の第３の実施の形態における外観図。
【図１６】同第３の実施の形態における要部構成を示すブロック図。
【図１７】同第３の実施の形態における制御部の無線タグ読取制御手順を示す流れ図。
【符号の説明】
【００６６】
１…会員証、２…無線タグ、１０…無線タグ読取装置、３０…入力ユニット、４０…登録ユニット、５０…無線タグ読取部、６１…顧客情報ファイル、７０…ＰＯＳ端末、８０…商品用無線タグ読取部。
【図１】
2005157572.tif 000003
【図２】
2005157572.tif 000004
【図３】
2005157572.tif 000005
【図４】
2005157572.tif 000006
【図５】
2005157572.tif 000007
【図６】
2005157572.tif 000008
【図７】
2005157572.tif 000009
【図８】
2005157572.tif 000010
【図９】
2005157572.tif 000011
【図１０】
2005157572.tif 000012
【図１１】
2005157572.tif 000013
【図１２】
2005157572.tif 000014
【図１３】
2005157572.tif 000015
【図１４】
2005157572.tif 000016
【図１５】
2005157572.tif 000017
【図１６】
2005157572.tif 000018
【図１７】
2005157572.tif 000019